(57)【特許請求の範囲】
【請求項１】
表表紙と背表紙と裏表紙とが折り曲げ可能に順次連設されたファイル本体の前記背表紙に固定される金属製の綴じ具であって、
前記綴じ具は、
前記背表紙の内面側に固定されるベースと、
前記ベースに一体的に設けられ、所定の間隔を保って前記ベースから離れて位置する押え板と、
前記ベースの両側にそれぞれ位置し、前記ベースと前記押え板との間隔内に形成される一対の差込溝と、
前記ベースの両側に配置され、前記差込溝にそれぞれ差し込み可能な一対の側板と、
を有する綴じ具。
【請求項２】
請求項１に記載の綴じ具であって、
前記側板には、主体と、前記差込溝に差し込み可能な差込部と、が一体的に形成され、
前記主体と前記差込部とは前記ベースの板厚に略等しい間隔を保ち、
前記差込部は、前記側板が前記背表紙の内面に当接したときに前記背表紙の内面から離れて位置する綴じ具。
【請求項３】
請求項２に記載の綴じ具であって、
前記差込溝と前記差込部とは、
前記背表紙の幅に応じて、前記差込溝に差し込む前記差込部の差し込み量を変更可能に構成されている綴じ具。
【請求項４】
請求項３に記載の綴じ具であって、
前記ベースと前記差込部とにおいてそれぞれが互いに接する面には、
互いにはまり合う凹部と凸部との一方をそれぞれに形成し、
前記ベース部に形成された前記凹部もしくは前記凸部は、
前記差込部の差し込み方向に沿って所定間隔置きに複数個形成されている綴じ具。
【請求項５】
請求項１〜４のいずれか１項に記載の綴じ具であって、
前記ベースには、
前記背表紙の外面側に固定される持ち手を固定する固定部を一体的に設けている綴じ具。
【発明の詳細な説明】
【技術分野】
【０００１】
この発明は、金属製の綴じ具に関し、背表紙が書類の重さによりゆがむのを防ぐことができるようにしたものである。
【背景技術】
【０００２】
従来、表表紙及び裏表紙の内縁に一対の背幅調節部を連ねて設け、これらの背幅調節部を接離方向に沿って背板にスライド可能に配置することにより、異なる背幅位置をとらしめるようにしたファイルが知られている（例えば特許文献１の段落番号「０００６」、図１〜４、図９及び図１０参照）。
【先行技術文献】
【特許文献】
【０００３】
【特許文献１】特開2008-44156号公報
【発明の概要】
【発明が解決しようとする課題】
【０００４】
しかし、上記した従来のファイルは、背幅調節を単に目的とするものであり、ファイルの補強という技術的思想が全く無かった。
すなわち、ファイルに大量の書類を綴じ込むと、ファイルを持った際に、背表紙が書類の重さにより湾曲してしまうとともに、これにより綴じ具がゆがんでしまうことがあった。
この状態でファイルを携行すると、パイプ式の綴じ具の綴じ杆が曲がって綴じ具を破損したり、或いは綴じ杆がパイプから外れて書類が落下してしまったりすることがあった。
【０００５】
各請求項にそれぞれ記載された各発明は、上記した従来の技術の有する問題点に鑑みてなされたものであり、その目的とするところは次の点にある。
第１に、本発明は、ベースに一体的に設けられた押え板の差込溝に両側の側板をそれぞれ差し込み、当該押え板により当該側板を押さえ込むことで、背表紙の幅方向において、綴じ具の剛性を向上することができ、綴じた書類の重さにより背表紙がゆがむのを防ぐことができるようにしたものである。
【０００６】
第２に、本発明は、側板に設けた差込部を差込溝に差し込むことができるようにしたものである。
【０００７】
第３に、本発明は、差込溝に対する差込部の差し込み量を変化することで、綴じ具の幅を背表紙の幅に適合させることができるようにしたものである。
すなわち、本発明によれば、例えば背表紙の幅が狭い場合には、差込部を差込溝に深く差し込み、又、背表紙の幅が広い場合には、差込溝に浅く差し込むことで、綴じ具の幅を背表紙の幅に適合させることができる。
また、本発明によれば、差込部を差込溝に浅く差し込んだ際にも、押え板により側板を押さえ込むことができるので、綴じ具の剛性の低下を防止できる。
さらに、本発明によれば、綴じ具の幅を背表紙の幅に適合させることにより、例えば背表紙の幅が広い場合にも、綴じ具の幅を広げることで対応でき、当該背表紙のゆがみに起因する綴じ具のゆがみを効果的に防止することができる。
【０００８】
第４に、本発明は、凹部と凸部とをはめ込むことで、背表紙の幅に適合した位置に差込部を差し込むことができるようにしたものである。
このため、本発明によれば、背表紙に対する綴じ具の装着を正確に且つ迅速に行うことができるようにしたものである。
これに加え、本発明は、ベースに差込部の差し込み方向に沿って所定間隔置きに複数個の凹部もしくは凸部を形成するとともに、底板において当該複数個の凹部もしくは凸部に対応する位置に凸部もしくは凹部を形成することで、差込溝に側板を差し込むと、当該複数個の一方と他方とがはめ込まれ、背表紙の幅に適合した幅に綴じ具を簡便に変更することができるようにしたものである。
【０００９】
第５に、本発明は、持ち手を固定する固定部をベースに一体的に設けることで、持ち手を持った際に、綴じた書類の重さにより綴じ具がゆがむのを防ぐことができるようにしたものである。
【課題を解決するための手段】
【００１０】
各請求項にそれぞれ記載された各発明は、上記した各目的を達成するためになされたものであり、各発明の特徴点を以下に説明する。
すなわち、本発明は、第１に、表表紙と背表紙と裏表紙とが折り曲げ可能に順次連設されたファイル本体の前記背表紙に固定される金属製の綴じ具である。
前記綴じ具は、前記背表紙の内面側に固定されるベースと、前記ベースに一体的に設けられ、所定の間隔を保って前記ベースから離れて位置する押え板と、前記ベースの両側にそれぞれ位置し、前記ベースと前記押え板との間隔内に形成される一対の差込溝と、前記ベースの両側に配置され、前記差込溝にそれぞれ差し込み可能な一対の側板と、を有する。
【００１１】
第２に、本発明は、前記側板には、主体と、前記差込溝に差し込み可能な差込部と、が一体的に形成されている。
前記主体と前記差込部とは前記ベースの板厚に略等しい間隔を保っている。
前記差込部は、前記側板が前記背表紙の内面に当接したときに前記背表紙の内面から離れて位置する。
【００１２】
第３に、本発明は、前記差込溝と前記差込部とは、前記背表紙の幅に応じて、前記差込溝に差し込む前記差込部の差し込み量を変更可能に構成されている。
【００１３】
第４に、本発明は、前記ベースと前記差込部とにおいてそれぞれが互いに接する面には、互いにはまり合う凹部と凸部との一方をそれぞれに形成する。
前記ベース部に形成された前記凹部もしくは前記凸部は、前記差込部の差し込み方向に沿って所定間隔置きに複数個形成されている。
【００１４】
第５に、本発明は、前記ベースには、前記背表紙の外面側に固定される持ち手を固定する固定部を一体的に設けている。
【発明の効果】
【００１５】
本発明は、以上のように構成されているので、以下に記載されるような効果を奏する。
すなわち、本発明によれば、第１に、ベースに一体的に設けられた押え板の差込溝に両側の側板をそれぞれ差し込み、当該押え板により側板を押さえ込むことで、背表紙の幅方向において綴じ具の剛性を向上させることができ、綴じた書類の重さにより背表紙がゆがむのを防ぐことができる。
【００１６】
第２に、本発明によれば、側板に設けた差込部を差込溝に差し込むことができる。
【００１７】
第３に、本発明によれば、差込溝に対し、差込部の差し込み量を変化することで、綴じ具の幅を、背表紙の幅に適合させることができる。
すなわち、本発明によれば、例えば背表紙の幅が狭い場合には差込部を差込溝に深く差し込み、又、背表紙の幅が広い場合には差込溝に浅く差し込むことで、綴じ具の幅を背表紙の幅に適合させることができる。
また、本発明によれば、差込部を差込溝に浅く差し込んだ際にも、押え板により側板を押さえ込むことができるので、綴じ具の剛性の低下を防止できる。
さらに、本発明によれば、綴じ具の幅を背表紙の幅に適合させることにより、例えば背表紙の幅が広い場合にも、綴じ具の幅を広げることで対応でき、幅の広い背表紙においても、そのゆがみを効果的に防止することができる。
【００１８】
第４に、本発明によれば、凹部と凸部とをはめ込むことで、背表紙の幅に適合した位置で、差込溝に差込部を差し込むことができる。
このため、本発明によれば、背表紙に対する綴じ具の装着を正確に且つ迅速に行うことができる。
これに加え、本発明によれば、ベースに差込部の差し込み方向に沿って所定間隔置きに複数個の凹部もしくは凸部を形成するとともに底板において当該複数個の凹部もしくは凸部に対応する位置に凸部もしくは凹部を形成することで、複数個の一方に他方をはめ込むことにより、背表紙の幅に適合した幅に綴じ具を簡便に変更することができる。
【００１９】
第５に、本発明によれば、持ち手を固定する固定部をベースに一体的に設けることで、持ち手を持った際に、綴じた書類の重さにより背表紙がゆがむのを防ぐことができる。
【図面の簡単な説明】
【００２０】
【図１】綴じ具の一部分解斜視図である。
【図２】綴じ具を取り付けたファイルの一部斜視図である。
【図３】綴じ具全体の分解斜視図である。
【図４】綴じ具の一部平面図である。
【図５】図４のＡ−Ａ線に沿う断面図である。
【図６】図４のＢ−Ｂ線に沿う断面図である。
【図７】図４のＣ−Ｃ線に沿う断面図である。
【図８】図４に対応し、拡幅状態の平面図である。
【図９】図８のＤ−Ｄ線に沿う断面図である。
【図１０】図３のＥ−Ｅ線に沿う断面図である。
【図１１】持ち手の取付状態の斜視図である。
【図１２】持ち手の取付状態の平面図である。
【図１３】持ち手の一部底面図である。
【図１４】持ち手の一部断面図である。
【図１５】持ち手を倒した状態の一部断面図である。
【図１６】持ち手本体の正面図である。
【図１７】本発明の第２の実施の形態を示し、同図は固定板の斜視図である。
【発明を実施するための形態】
【００２１】
（ファイル10）
図２中、10は、書類用のファイルであり、大別すると、ファイル本体20と綴じ具30とから構成されている。
ファイル本体20は、図２に示すように、表表紙21と背表紙22と裏表紙23とが折り曲げ可能に順次連設されている。背表紙22の内面には、図２に示すように、綴じ具30を固定し、その外面には、図１１〜１６に示すように、後述する持ち手40を固定している。
【００２２】
綴じ具30は、図２に示すように、ファイル本体20の背表紙22に固定されるものであり、金属製である。
（綴じ具30）
綴じ具30は、図３に示すように、大別すると、次のパーツから構成されている。
なお、次の（１）〜（３）については後述する。
（１）固定板50
（２）側板60
（３）綴込部70
なお、綴じ具30のパーツは、上記した（１）〜（３）に限定されない。
【００２３】
（固定板50）
固定板50は、図１〜７に示すように、後述する一対の側板60の間に位置し、当該側板60をファイル本体20の背表紙22の内面側に固定するものである。
固定板50は、金属板をプレス加工して形成されている。
なお、固定板50を、このような形態に限定されず、複数の金属板を貼り合わせたものでも良く、樹脂を成形することにより形成されても良く、さらに高い剛性が必要とされる一部にだけ金属を使用しても良い。
【００２４】
固定板50は、図１及び図４〜７に示すように、大別すると、次の各部を備える。
なお、次の（１）〜（４）については後述する。
（１）ベース51
（２）押え板52
（３）差込溝53
（４）凹部54
なお、固定板50の各部は、上記した（１）〜（４）に限定されない。
【００２５】
（ベース51）
ベース51は、図２に示すように、背表紙12の内面側に固定されるものである。ベース51は、図１〜７に示すように、背表紙12の幅方向に長辺を有する略長方形状に形成されているが、勿論、当該形状に限定されない。
【００２６】
（押え板52）
押え板52は、図１及び図４〜７に示すように、ベース51に一体的に設けられ、所定の間隔、すなわち後述する側板70の板厚に略等しい間隔を保ってベース51から離れて位置するものである。
押え板52は、ベース51より一回り小さい略相似状を呈する平面により形成され、当該平面の対向する2辺の一部がそれぞれ立上部52aを介してベース51に連接し、当該2辺の端部と当該2辺と直行する他の2辺とが、ベース51に連接しない自由端部を形成している。
なお、自由端部は、それぞれの端部に、背表紙12の幅方向と高さ方向とのいずれか若しくは両方に矩形に張り出す張出部52bを設けても良い。
【００２７】
（差込溝53）
差込溝53は、図１及び図４〜７に示すように、前記自由端部のベース51と押え板52との間隔により形成されるものであり、ベース51の上面と、押え板52の自由端部の近傍の下面とにより形成され、前記自由端部に沿って開口している。差込溝53の高さ、すなわちベース51の上面と押え板52の下面との最短距離は、後述する側板70の板厚に略等しく設定されている。
【００２８】
（凹部54）
凹部54は、図１及び図４〜７に示すように、ベース51と、側板60の後述する差込部64とにおいてそれぞれが互いに接する面のいずれか一方の面、例えばベース51の上面に位置し、他方の面、差込部64の下面に位置する、例えば後述する凸部84と互いにはまり合うものである。
凹部54は、差込部64が差込溝53に差し込まれる際の差し込み方向と直行する方向に一対、さらに当該差し込み方向に沿って所定間隔置きに複数個、例えばそれぞれ４個ずつ形成されている。
なお、凹部54を、４個形成したが、これに限定されず、２個、３個、或いは５個以上形成しても良い。
４個の凹部54は、ベース51の上面の四隅にそれぞれ形成され、各凹部54は略半球形に凹んでいる。
なお、４個の凹部54を、ベース51の上面の四隅にそれぞれ形成にしたが、これに限定されず、１〜３箇所、或いは５箇所以上に形成しても良い。また、各凹部54を、略半球形に凹ませたが、これに限定されず、他の形状としても良い。
【００２９】
（側板60）
側板60は、図１及び図４〜７に示すように、一対有り、ベース51の両側に配置され、差込溝53にそれぞれ差し込み可能なものである。
【００３０】
側板60は、図１及び図４〜７に示すように、大別すると、次のパーツを備える。
なお、次の（１）及び（２）については後述する。
（１）側板本体80
（２）支持板90
なお、側板60のパーツは、上記した（１）及び（２）に限定されない。
【００３１】
（側板80）
側板80は、図１及び図４〜７に示すように、主体85と差込溝53に差し込み可能な差込部81とが一体的に形成されている。側板80は、金属板をプレス加工することにより形成されている。
なお、側板80は、この形態に限定されず、複数の金属板を貼り合わせたものでも良く、樹脂を成形することにより形成されても良く、さらに高い剛性が必要とされる一部にだけ金属を使用しても良い。
差込部81は、平面がカタカナの「コ」字形、或いは英文字の「Ｃ」字形に形成されている。差込部81は、差込溝53に差し込まれる際に当該差込溝53と対向する箇所に位置する縁部に開放された自由端部が形成され、当該自由端部を除く全ての縁部において起立部82を介して主体85に連接されており、起立部82の高さ、すなわち差込部81と主体85との最短距離は、ベース51の板厚に略等しく形成されている。これにより、差込部81は、側板80が背表紙12の内面に当接したときに背表紙12の内面からベース51の板厚に略等しい距離の間隙を経て位置する。差込部81は、差込溝53に差し込まれる際の差し込み方向と直行する方向の2縁の距離が、ベース51の同方向の2縁の距離に略等しく設定されている。
【００３２】
差込部64の下面には、ベース51の上面に形成された凹部54の一つとはまり合う凸部84が設けられている。凸部84は、差込部64が差込溝53に差し込まれる際の差し込み方向と直行する方向に一対設けられ、差込部64の下面から下方に向かって略半球形に突出している。
なお、差込部64の下面に凸部84を設け、ベース51の上面に凹部54を設けたが、これらに限定されず、逆に差込部64の下面に凹部を設け、ベース51の上面に凸部を設けても良い。また、凸部84を差し込み方向に一対設けたが、これに限定されず、単数、或いは３組以上に設けても良い。また、凸部84を略半球形に突出させたが、これに限定されず、他の形状としても良い。
【００３３】
（支持板90）
支持板90は、図３に示すように、側板本体80にヒンジ部91を介して連結され、後述する綴込部70を着脱可能に取り付け可能なものである。
なお、支持板90を、ヒンジ部91を介して側板本体80にしたが、これに限定されず、一対の側板60のうち、片側だけにヒンジ部91を設け、他の片側の側板60についてはヒンジ部91を省いても良い。
【００３４】
（綴込部70）
綴込部70は、図３に示すように、対向する一対の支持板90の間に取り付けられ、図示しないが、書類を綴じ込み可能なものである。
綴込部70は、２枚の装着板71,72から構成され、装着板71,72の一方、例えば装着板71には一対のロッド73を設け、他方の装着板72にはロッド73を挿入可能な一対のパイプ74を設けている。
【００３５】
（持ち手40）
持ち手40は、図１１〜１６に示すように、背表紙12の外面側に固定されるものである。
持ち手40は、大別すると、持ち手本体41と、固定部42と、軸43とから構成されている。持ち手本体41は、カタカナの「コ」字形、或いは英文字の「Ｃ」字形に形成され、固定部42は、ベース51の差し込み方向と直行する方向の両縁部にそれぞれ離れて一対配置され、背表紙12の内面側に当該内面側から外面側に貫通するように固定され、持ち手本体41の一対の端部は、それぞれ固定部42に軸43を介して回動可能に取り付けている。      
【００３６】
（綴じ具30の取付方法）
つぎに、上記した構成を備える綴じ具30の取付方法について説明する。
まず、図１〜７に示すように、ベース51を背表紙12の内面に固定し、両側の差込溝53に側板本体80の差込部81をそれぞれ差し込む。
側板本体80を差し込むと、その下面から突出する凸部84が、ベース51の上面から凹む４個の凹部54の一つにはまり込む。
４個の凹部54のうち、背表紙12の幅方向の外側に位置するものに凸部84をはめ込むと、図８〜１０に示すように、綴じ具30の幅が最大となる。また、４個の凹部54のうち、背表紙12の幅方向の中央側に位置するものに凸部84をはめ込むと、図４、図６及び図７に示すように、綴じ具30の幅が最小となる。
このため、背表紙12の幅に合わせて、凸部84をはめ込む凹部54の位置を変更する。
【００３７】
その後、側板本体80を背表紙12の内面に固定することで、綴じ具30を背表紙12に固定する。
書類は、図示しないが、綴込部70に綴じ込み、対向する一対の支持板90の間に装着する。
このとき、大量の書類を綴じ込むと、背表紙を上にしてファイル10を持った際に、書類の重さにより、背表紙12に対し重力方向に湾曲する応力が発生する。例えば、持ち手40を持って、ファイル10を、背表紙を上にして吊り下げた場合には、背表紙12の幅方向の中央部分が外側の両側の端部と比べて重力方向に下がった略Ｕ字形に湾曲しようとする。
このとき、背表紙12の内面に金属製のベース51を固定していることから、ベース51の剛性の高さにより背表紙12の湾曲が防止される。
【００３８】
また、背表紙12が、湾曲しようとした際にベース51の厚み方向に側板80が反ろうとする。このとき、肉厚で高い剛性を有するベース51が当該湾曲しようとする力に抗するとともに、側板80の差込部64が差込溝53内にはまり込み押え板52の内面に当接することで、ベース51が、側板本体80が反ろうとする力に抗することを助ける。さらにベース51と側板80とにそれぞれ立上部52aと起立部82とが設けられていることにより、立上部52aと起立部82とが曲げ応力に抗するため、ベース51と側板80との剛性はさらに向上している。
以上により、綴じ具30により背表紙12の湾曲やゆがみが防止される。
【００３９】
（図１７の第２の実施の形態）
つぎに、図１７を用いて、本発明の第２の実施の形態について説明する。
本実施の形態の特徴は、図１７に示すように、背表紙12の外面側に固定される持ち手40を固定する固定部104をベース101に一体的に設けている点である。
すなわち、固定部104は、大別すると、ベース101、押え板102、差込溝103を備えるが、これらの構造は、先に図１〜１６を用いて説明した第１の実施の形態と同様の構造を有するので、説明を省略する。
【００４０】
一方、固定部104は、背表紙12（図示せず）の長手方向に位置する、ベース101の上下の縁部からそれぞれ矩形に一対突出し、背表紙12（図示せず）の幅方向においては中央に位置している。
なお、固定部104を、矩形に突出させたが、これに限定されず、他の形状に突出させたり、或いはベース101の差込部64が差込溝53に差し込まれる際の差し込み方向と直行する方向に長さをそのまま拡大しても良い。
【００４１】
本実施の形態によれば、図示しないは、固定部104に取り付けた持ち手を持った際に、綴じた書類の重さにより背表紙がゆがむのを防ぐことができ、又、固定部104を一体的に設けた分だけ、ベース101の面積を拡大でき、その点でも背表紙12の剛性の向上に有利である。
【符号の説明】
【００４２】
＜第１の実施の形態＞
10  ファイル
20  ファイル本体      21  表表紙
22  背表紙            23  裏表紙
30  綴じ具
40  持ち手            41  持ち手本体
42  固定部            43  軸
50  固定板
51  ベース            52  押え板
52a 立上部           52b  張出部
53  差込溝            54  凹部
60  側板
70  綴込部            71,72 装着板
73  ロッド            74  パイプ
80  側板本体
81  差込部            82  起立部
83  切欠部            84  凸部
85  主体
90  支持板            91  ヒンジ部
＜第２の実施の形態＞
100  固定板
101  ベース           102  押え板
103  差込溝           104  固定部
【図１】
0005702669.tif 000002
【図２】
0005702669.tif 000003
【図３】
0005702669.tif 000004
【図４】
0005702669.tif 000005
【図５】
0005702669.tif 000006
【図６】
0005702669.tif 000007
【図７】
0005702669.tif 000008
【図８】
0005702669.tif 000009
【図９】
0005702669.tif 000010
【図１０】
0005702669.tif 000011
【図１１】
0005702669.tif 000012
【図１２】
0005702669.tif 000013
【図１３】
0005702669.tif 000014
【図１４】
0005702669.tif 000015
【図１５】
0005702669.tif 000016
【図１６】
0005702669.tif 000017
【図１７】
0005702669.tif 000018